(57)【要約】【課題】通信端末を省電力化させるとともに、通信システムの信頼性を向上させる。【解決手段】本発明に係る通信中継装置は、発側端末と着側端末とのセッションを確立させる通信制御装置を介して、セッションの確立を要求する接続要求を受信する接続要求受信部と、接続要求受信部が接続要求を受信した場合に、着側端末に対する接続要求を受信したことを着側端末に通知する通知情報を着側端末に送信する通知情報送信部と、着側端末が通知情報を受信したことを示す確認応答を受信する確認応答受信部と、接続要求受信部が接続要求を受信した後、確認応答受信部が確認応答を着側端末から受信する前に、確認応答を通信制御装置に送信する確認応答送信部とを備える。【選択図】図２
2008136140.tif 000002
【特許請求の範囲】
【請求項１】
発側端末と着側端末との通信を中継する通信中継装置であって、
前記発側端末と前記着側端末とのセッションを確立させる通信制御装置を介して、前記発側端末と前記着側端末とのセッションの確立を要求する接続要求を、前記発側端末から受信する接続要求受信部と、
前記接続要求受信部が前記接続要求を受信した場合に、前記着側端末に対する前記接続要求を受信したことを前記着側端末に通知する通知情報を、前記着側端末に送信する通知情報送信部と、
前記着側端末が前記通知情報を受信したことを示す確認応答を、前記着側端末から受信する確認応答受信部と、
前記接続要求受信部が前記接続要求を受信した後、前記確認応答受信部が前記確認応答を前記着側端末から受信する前に、前記確認応答を前記通信制御装置に送信する確認応答送信部と
を備える通信中継装置。
【請求項２】
前記確認応答送信部は、前記確認応答受信部が前記確認応答を前記着側端末から受信する前に、前記確認応答を前記通信制御装置に送信した場合、前記確認応答受信部が前記確認応答を前記着側端末から受信した後に、前記確認応答を前記通信制御装置に送信しない
請求項１に記載の通信中継装置。
【請求項３】
前記通信制御装置は、前記接続要求に対して、当該通信中継装置から前記確認応答を受信しない場合、予め定められた時間間隔で前記接続要求を当該通信中継装置に繰り返し送信し、
前記確認応答送信部は、前記接続要求受信部が前記接続要求を受信してから、前記予め定められた時間間隔の期間が経過するまでに、前記確認応答を前記通信制御装置に送信する
請求項１に記載の通信中継装置。
【請求項４】
前記通信制御装置は、前記接続要求に対して、当該通信中継装置から前記確認応答を受信しない場合、前記接続要求を当該通信中継装置に繰り返し送信し、
前記確認応答送信部は、前記確認応答受信部が前記確認応答を前記着側端末から受信する前に、前記確認応答を前記通信制御装置に送信することによって、前記通信制御装置が前記接続要求を繰り返し送信させない
請求項１に記載の通信中継装置。
【請求項５】
発側端末と着側端末との通信を中継する通信方法であって、
前記発側端末と前記着側端末とのセッションを確立させる通信制御装置を介して、前記発側端末と前記着側端末とのセッションの確立を要求する接続要求を、前記発側端末から受信する接続要求受信段階と、
前記接続要求受信段階において前記接続要求が受信された場合に、前記着側端末に対する前記接続要求を受信したことを前記着側端末に通知する通知情報を、前記着側端末に送信する通知情報送信段階と、
前記着側端末が前記通知情報を受信したことを示す確認応答を、前記着側端末から受信する確認応答受信段階と、
前記接続要求受信段階において前記接続要求が受信された後、前記確認応答受信段階において前記確認応答が前記着側端末から受信される前に、前記確認応答を前記通信制御装置に送信する確認応答送信段階と
を備える通信方法。
【請求項６】
発側端末と着側端末との通信を中継する通信中継装置用の通信プログラムであって、前記通信中継装置を、
前記発側端末と前記着側端末とのセッションを確立させる通信制御装置を介して、前記発側端末と前記着側端末とのセッションの確立を要求する接続要求を、前記発側端末から受信する接続要求受信部、
前記接続要求受信部が前記接続要求を受信した場合に、前記着側端末に対する前記接続要求を受信したことを前記着側端末に通知する通知情報を、前記着側端末に送信する通知情報送信部、
前記着側端末が前記通知情報を受信したことを示す確認応答を、前記着側端末から受信する確認応答受信部、
前記接続要求受信部が前記接続要求を受信した後、前記確認応答受信部が前記確認応答を前記着側端末から受信する前に、前記確認応答を前記通信制御装置に送信する確認応答送信部
として機能させる通信プログラム。
【請求項７】
発側端末と着側端末とのセッションを確立させる通信制御装置と、前記発側端末と前記着側端末との通信を中継する通信中継装置とを備える通信システムであって、
前記通信中継装置は、
前記発側端末と前記着側端末とのセッションを確立させる通信制御装置を介して、前記発側端末と前記着側端末とのセッションの確立を要求する接続要求を、前記発側端末から受信する接続要求受信部と、
前記接続要求受信部が前記接続要求を受信した場合に、前記着側端末に対する前記接続要求を受信したことを前記着側端末に通知する通知情報を、前記着側端末に送信する通知情報送信部と、
前記着側端末が前記通知情報を受信したことを示す確認応答を、前記着側端末から受信する確認応答受信部と、
前記接続要求受信部が前記接続要求を受信した後、前記確認応答受信部が前記確認応答を前記着側端末から受信する前に、前記確認応答を前記通信制御装置に送信する確認応答送信部と
を有する通信システム。
【請求項８】
発側端末と着側端末とのセッションを確立させる通信制御装置であって、
前記着側端末は、データを受信しない待機モードと、データを受信する通信モードとを有し、前記待機モードに遷移した後、前記着側端末に予め設定された待機期間が経過すると、前記通信モードに遷移し、
前記通信制御装置は、
前記着側端末に予め設定された前記待機期間の長さを示す待機期間情報を格納する待機期間情報格納部と、
前記発側端末と前記着側端末とのセッションの確立を要求する接続要求を、前記発側端末から受信する接続要求受信部と、
前記接続要求を前記着側端末に対して送信する接続要求送信部と、
前記接続要求受信部が前記接続要求を受信した場合に、前記接続要求送信部に前記接続要求を前記着側端末に対して送信させ、前記接続要求送信部が前記接続要求を前記着側端末に送信したときから、前記待機期間情報格納部が格納している待機期間情報が示す長さの前記待機期間が経過した場合に、前記接続要求送信部に前記接続要求を前記着側端末に対して再度送信させる接続要求送信制御部と
を備える通信制御装置。
【請求項９】
前記着側端末から送信された前記待機期間情報を受信する待機期間情報受信部
を更に備え、
前記待機期間情報格納部は、前記待機期間情報受信部が受信した前記待機期間情報を格納する
請求項８に記載の通信制御装置。
【請求項１０】
前記着側端末は、当該通信制御装置に位置登録すべく送信する位置登録情報に、前記待機期間情報を付帯して送信し、
前記待機期間情報受信部は、前記待機期間情報が付帯された前記位置登録情報を受信し、
前記待機期間情報格納部は、前記待機期間情報受信部が受信した前記位置登録情報に付帯された前記待機期間情報を格納する
請求項９に記載の通信制御装置。
【請求項１１】
データを受信しない待機モードと、データを受信する通信モードとを有し、前記待機モードに遷移した後、予め設定された待機期間が経過すると、前記通信モードに遷移する着側端末と発側端末とのセッションを確立させる通信方法であって、
前記着側端末に予め設定された前記待機期間の長さを示す待機期間情報を待機期間情報格納部に格納する待機期間情報格納段階と、
前記発側端末と前記着側端末とのセッションの確立を要求する接続要求を、前記発側端末から受信する接続要求受信段階と、
前記接続要求を前記着側端末に対して送信する接続要求送信段階と、
前記接続要求受信段階において前記接続要求が受信された場合に、前記接続要求を前記着側端末に対して送信させ、前記接続要求送信段階において前記接続要求が前記着側端末に送信されたときから、前記待機期間情報格納部が格納している待機期間情報が示す長さの前記待機期間が経過した場合に、前記接続要求を前記着側端末に対して再度送信させる接続要求送信制御段階と
を備える通信方法。
【請求項１２】
データを受信しない待機モードと、データを受信する通信モードとを有し、前記待機モードに遷移した後、予め設定された待機期間が経過すると、前記通信モードに遷移する着側端末と発側端末とのセッションを確立させる通信制御装置用の通信プログラムであって、前記通信制御装置を、
前記着側端末に予め設定された前記待機期間の長さを示す待機期間情報を格納する待機期間情報格納部、
前記発側端末と前記着側端末とのセッションの確立を要求する接続要求を、前記発側端末から受信する接続要求受信部、
前記接続要求を前記着側端末に対して送信する接続要求送信部、
前記接続要求受信部が前記接続要求を受信した場合に、前記接続要求送信部に前記接続要求を前記着側端末に対して送信させ、前記接続要求送信部が前記接続要求を前記着側端末に送信したときから、前記待機期間情報格納部が格納している待機期間情報が示す長さの前記待機期間が経過した場合に、前記接続要求送信部に前記接続要求を前記着側端末に対して再度送信させる接続要求送信制御部
として機能させる通信プログラム。
【請求項１３】
発側端末と着側端末とのセッションを確立させる通信制御装置と、前記発側端末と前記着側端末との通信を中継する通信中継装置とを備える通信システムであって、
前記着側端末は、データを受信しない待機モードと、データを受信する通信モードとを有し、前記待機モードに遷移した後、前記着側端末に予め設定された待機期間が経過すると、前記通信モードに遷移し、
前記通信制御装置は、
前記着側端末に予め設定された前記待機期間の長さを示す待機期間情報を格納する待機期間情報格納部と、
前記発側端末と前記着側端末とのセッションの確立を要求する接続要求を、前記発側端末から受信する接続要求受信部と、
前記接続要求を、前記通信中継装置を介して前記着側端末に送信する接続要求送信部と
前記接続要求受信部が前記接続要求を受信した場合に、前記接続要求送信部に前記接続要求を、前記通信中継装置を介して前記着側端末に送信させ、前記接続要求送信部が前記接続要求を、前記通信中継装置を介して前記着側端末に送信したときから、前記待機期間情報格納部が格納している待機期間情報が示す長さの前記待機期間が経過した場合に、前記接続要求送信部に前記接続要求を、前記通信中継装置を介して前記着側端末に再度送信させる接続要求送信制御部と
を有する通信システム。
【発明の詳細な説明】
【技術分野】
【０００１】
本発明は、通信中継装置、通信制御装置、通信方法、通信プログラム、および通信システムに関する。特に、本発明は、発側端末と着側端末との通信を中継する通信中継装置、発側端末と着側端末とのセッションを確立させる通信制御装置、通信方法、通信プログラム、および通信システムに関する。
【背景技術】
【０００２】
非特許文献１には、無線端末のバッテリー消費量を抑制するためのパワーマネジメント機能について記載されている。すなわち、ＩＥＥＥ８０２．１１において、無線ＬＡＮの区画で、アクセスポイントからのＢｅａｃｏｎ  ＩｎｔｅｒｖａｌとＬｉｓｔｅｎ  Ｉｎｔｅｒｖａｌとを用いた省電力化の方法が規定されている。
【非特許文献１】松江  英明、守倉  正博監修、「８０２．１１高速無線ＬＡＮ教科書」、ＩＤＧジャパン、２００３年７月２９日、ｐ．９０−９５
【発明の開示】
【発明が解決しようとする課題】
【０００３】
しかしながら、アクセスポイントに設定されているＢｅａｃｏｎ  Ｉｎｔｅｒｖａｌを長くする場合、当該アクセスポイントと通信可能に接続されている無線端末の全てに対してＢｅａｃｏｎ  Ｉｎｔｅｒｖａｌが長くなるので、通信サービスの種類によっては、適切な品質を維持したサービスの提供が困難となる場合がある。また、Ｌｉｓｔｅｎ  Ｉｎｔｅｒｖａｌについて、各無線端末において個別に設定した場合、通信の応答性が低下する場合があり、かつ、発側の無線端末から着側の無線端末に送信されたデータを記録する記録領域の確保が困難となる場合がある。
【０００４】
更に、無線端末において省電力期間を設けた場合、無線端末が省電力期間中のときは他の無線端末からは接続要求を受信できず、接続要求に対する暫定応答を返送できないので、通信制御装置は無線端末へ接続要求の再送を繰り返さなければならない場合がある。係る場合には、通信トラフィックが増大して、通信制御装置およびネットワークでの処理負荷が増大する場合がある。係る問題は、無線端末における省電力期間をより長く設定した場合に、より顕著に生じうる。また、無線端末における省電力期間を長くすると、即時応答性が低下して、ユーザに対する通信の信頼性が低下しうる。
【０００５】
そこで本発明は、上記課題を解決することができる通信中継装置、通信制御装置、通信方法、通信プログラム、および通信システムを提供することを目的とする。この目的は特許請求の範囲における独立項に記載の特徴の組み合わせにより達成される。また従属項は本発明の更なる有利な具体例を規定する。
【課題を解決するための手段】
【０００６】
上記課題を解決するために、本発明の第１の形態においては、発側端末と着側端末との通信を中継する通信中継装置であって、発側端末と着側端末とのセッションを確立させる通信制御装置を介して、発側端末と着側端末とのセッションの確立を要求する接続要求を、発側端末から受信する接続要求受信部と、接続要求受信部が接続要求を受信した場合に、着側端末に対する接続要求を受信したことを着側端末に通知する通知情報を、着側端末に送信する通知情報送信部と、着側端末が通知情報を受信したことを示す確認応答を、着側端末から受信する確認応答受信部と、接続要求受信部が接続要求を受信した後、確認応答受信部が確認応答を着側端末から受信する前に、確認応答を通信制御装置に送信する確認応答送信部とを備える。
【０００７】
また、確認応答送信部は、確認応答受信部が確認応答を着側端末から受信する前に、確認応答を通信制御装置に送信した場合、確認応答受信部が確認応答を着側端末から受信した後に、確認応答を前記通信制御装置に送信しない。また、通信制御装置は、接続要求に対して、当該通信中継装置から確認応答を受信しない場合、予め定められた時間間隔で接続要求を当該通信中継装置に繰り返し送信し、確認応答送信部は、接続要求受信部が接続要求を受信してから、予め定められた時間間隔の期間が経過するまでに、確認応答を通信制御装置に送信してもよい。
【０００８】
また、本発明の第２の形態においては、発側端末と着側端末との通信を中継する通信方法であって、発側端末と着側端末とのセッションを確立させる通信制御装置を介して、発側端末と着側端末とのセッションの確立を要求する接続要求を、発側端末から受信する接続要求受信段階と、接続要求受信段階において接続要求が受信された場合に、着側端末に対する接続要求を受信したことを着側端末に通知する通知情報を、着側端末に送信する通知情報送信段階と、着側端末が通知情報を受信したことを示す確認応答を、着側端末から受信する確認応答受信段階と、接続要求受信段階において接続要求が受信された後、確認応答受信段階において確認応答が着側端末から受信される前に、確認応答を通信制御装置に送信する確認応答送信段階とを備える。
【０００９】
また、本発明の第３の形態においては、発側端末と着側端末との通信を中継する通信中継装置用の通信プログラムであって、通信中継装置を、発側端末と着側端末とのセッションを確立させる通信制御装置を介して、発側端末と着側端末とのセッションの確立を要求する接続要求を、発側端末から受信する接続要求受信部、接続要求受信部が接続要求を受信した場合に、着側端末に対する接続要求を受信したことを着側端末に通知する通知情報を、着側端末に送信する通知情報送信部、着側端末が通知情報を受信したことを示す確認応答を、着側端末から受信する確認応答受信部、接続要求受信部が接続要求を受信した後、確認応答受信部が確認応答を着側端末から受信する前に、確認応答を通信制御装置に送信する確認応答送信部として機能させる。
【００１０】
また、本発明の第４の形態においては、発側端末と着側端末とのセッションを確立させる通信制御装置と、発側端末と着側端末との通信を中継する通信中継装置とを備える通信システムであって、通信中継装置は、発側端末と着側端末とのセッションを確立させる通信制御装置を介して、発側端末と着側端末とのセッションの確立を要求する接続要求を、発側端末から受信する接続要求受信部と、接続要求受信部が接続要求を受信した場合に、着側端末に対する接続要求を受信したことを着側端末に通知する通知情報を、着側端末に送信する通知情報送信部と、着側端末が通知情報を受信したことを示す確認応答を、着側端末から受信する確認応答受信部と、接続要求受信部が接続要求を受信した後、確認応答受信部が確認応答を着側端末から受信する前に、確認応答を通信制御装置に送信する確認応答送信部とを有する。
【００１１】
また、本発明の第５の形態においては、発側端末と着側端末とのセッションを確立させる通信制御装置であって、着側端末は、データを受信しない待機モードと、データを受信する通信モードとを有し、待機モードに遷移した後、着側端末に予め設定された待機期間が経過すると、通信モードに遷移し、通信制御装置は、着側端末に予め設定された待機期間の長さを示す待機期間情報を格納する待機期間情報格納部と、発側端末と着側端末とのセッションの確立を要求する接続要求を、発側端末から受信する接続要求受信部と、接続要求を着側端末に対して送信する接続要求送信部と、接続要求受信部が接続要求を受信した場合に、接続要求送信部に接続要求を着側端末に対して送信させ、接続要求送信部が接続要求を着側端末に送信したときから、待機期間情報格納部が格納している待機期間情報が示す長さの待機期間が経過した場合に、接続要求送信部に接続要求を着側端末に対して再度送信させる接続要求送信制御部とを備える。
【００１２】
また、本発明の第６の形態においては、データを受信しない待機モードと、データを受信する通信モードとを有し、待機モードに遷移した後、予め設定された待機期間が経過すると、通信モードに遷移する着側端末と発側端末とのセッションを確立させる通信方法であって、着側端末に予め設定された待機期間の長さを示す待機期間情報を待機期間情報格納部に格納する待機期間情報格納段階と、発側端末と着側端末とのセッションの確立を要求する接続要求を、発側端末から受信する接続要求受信段階と、接続要求を着側端末に対して送信する接続要求送信段階と、接続要求受信段階において接続要求が受信された場合に、接続要求を着側端末に対して送信させ、接続要求送信段階において接続要求が着側端末に送信されたときから、待機期間情報格納部が格納している待機期間情報が示す長さの待機期間が経過した場合に、接続要求を着側端末に対して再度送信させる接続要求送信制御段階とを備える。
【００１３】
また、本発明の第７の形態においては、データを受信しない待機モードと、データを受信する通信モードとを有し、待機モードに遷移した後、予め設定された待機期間が経過すると、通信モードに遷移する着側端末と発側端末とのセッションを確立させる通信制御装置用の通信プログラムであって、通信制御装置を、着側端末に予め設定された待機期間の長さを示す待機期間情報を格納する待機期間情報格納部、発側端末と着側端末とのセッションの確立を要求する接続要求を、発側端末から受信する接続要求受信部、接続要求を着側端末に対して送信する接続要求送信部、接続要求受信部が接続要求を受信した場合に、接続要求送信部に接続要求を着側端末に対して送信させ、接続要求送信部が接続要求を着側端末に送信したときから、待機期間情報格納部が格納している待機期間情報が示す長さの待機期間が経過した場合に、接続要求送信部に接続要求を着側端末に対して再度送信させる接続要求送信制御部として機能させる。
【００１４】
また、本発明の第８の形態においては、発側端末と着側端末とのセッションを確立させる通信制御装置と、発側端末と着側端末との通信を中継する通信中継装置とを備える通信システムであって、着側端末は、データを受信しない待機モードと、データを受信する通信モードとを有し、待機モードに遷移した後、着側端末に予め設定された待機期間が経過すると、通信モードに遷移し、通信制御装置は、着側端末に予め設定された待機期間の長さを示す待機期間情報を格納する待機期間情報格納部と、発側端末と着側端末とのセッションの確立を要求する接続要求を、発側端末から受信する接続要求受信部と、接続要求を通信中継装置を介して着側端末に送信する接続要求送信部と、接続要求受信部が接続要求を受信した場合に、接続要求送信部に接続要求を通信中継装置を介して着側端末に送信させ、接続要求送信部が接続要求を通信中継装置を介して着側端末に送信したときから、待機期間情報格納部が格納している待機期間情報が示す長さの待機期間が経過した場合に、接続要求送信部に接続要求を、通信中継装置を介して着側端末に再度送信させる接続要求送信制御部とを有する。
【００１５】
なお、上記の発明の概要は、本発明の必要な特徴の全てを列挙したものではなく、これらの特徴群のサブコンビネーションもまた、発明となりうる。
【発明の効果】
【００１６】
本発明によれば、通信端末１０の省電力期間を長くした場合であっても、通信端末１０のユーザに対する信頼性を損なわしめず、また、通信中継装置２０と通信制御装置４０との間のトラフィックを減少させることにより、通信システム６０の信頼性を向上させることができる。
【発明を実施するための最良の形態】
【００１７】
以下、発明の実施の形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【００１８】
図１は、本発明の一実施形態に係る通信システム６０の概要を示す。通信システム６０は、クライアント側ネットワーク７０、クライアント側ネットワーク７２、ＩＰネットワーク７４、サーバ側ネットワーク７６、および音声公衆網７８を備える。そして、クライアント側ネットワーク７０は、通信端末１０（ａ）、通信中継装置２０（ａ）、およびクライアント側ネットワーク７０をＩＰネットワーク７４に接続するルータ３０（ａ）を有する。同様に、クライアント側ネットワーク７２は、通信端末１０（ｂ）、通信中継装置２０（ｂ）、およびルータ３０（ｂ）を有する。また、サーバ側ネットワーク７６は、ルータ３０、通信制御装置４０、および音声公衆網７８に接続するためにメディア変換を実行するＭｅｄｉａ  ＧａｔｅＷａｙ（ＭＧＷ）５０を有する。
【００１９】
なお、通信端末１０は、通信中継装置２０と無線通信する通信端末１０であって、例えば、携帯電話端末である。そして、通信端末１０は、無線ＬＡＮ機能を有したＰＣ、ＰＤＡ、ゲーム機、家電、およびＯＡ機器等であってよい。また、通信中継装置２０は、例えば、無線ＬＡＮにおいて、通信端末１０と他の通信端末１０との間の無線通信を中継するアクセスポイントである。更に、通信制御装置４０は、例えば、ＳＩＰ（Ｓｅｓｓｉｏｎ  Ｉｎｉｔｉａｔｉｏｎ  Ｐｒｏｔｏｃｏｌ）を用いた呼制御信号の制御、およびＶｏＩＰ（Ｖｏｉｃｅ  ｏｖｅｒ  Ｉｎｔｅｒｎｅｔ  Ｐｒｏｔｏｃｏｌ）を用いた音声通話の制御等を実行するＳＩＰサーバであってよい。
【００２０】
本実施形態に係る通信システム６０は、通信端末１０の省電力期間を長くした場合であっても、通信端末１０のユーザに対する信頼性を損なわしめず、また、通信中継装置２０と通信制御装置４０との間のトラフィックを減少させることにより、通信システム６０の信頼性を向上させることを目的とする。
【００２１】
以下の説明においては、通常のＳＩＰによる処理の流れを図１０および図１１を参照して示した後に、図１に示す本発明の第１の実施形態および第２の実施形態について説明する。
【００２２】
まず、図１０および図１１は、通常のＳＩＰによる呼制御における処理の流れの一例を示す。まず、図１０に示す様に、通信端末１０（ａ）は、通信端末１０（ａ）に電源が投入された場合等において、通信制御装置４０にＲｅｇｉｓｔｅｒ  Ｒｅｑｕｅｓｔメッセージを送信する（Ｓ１０００）。通信制御装置４０は、受信したＲｅｇｉｓｔｅｒ  Ｒｅｑｕｅｓｔメッセージに応じて通信端末１０（ａ）の登録処理を実行するとともに、当該登録がなされた場合に、通信端末１０（ａ）に２００ＯＫメッセージを送信する（Ｓ１００５）。同様にして、通信端末１０（ｂ）も通信制御装置４０に対してＲｅｇｉｓｔｅｒ  Ｒｅｑｕｅｓｔメッセージを送信することにより、通信制御装置４０に登録処理を実行させる（Ｓ１０１０、Ｓ１０１５）。
【００２３】
続いて、通信端末１０（ｂ）のユーザが通信端末１０（ａ）のユーザとの通信を所望する場合、通信端末１０（ｂ）を操作して、通信端末１０（ｂ）から通信制御装置４０に通信端末１０（ａ）とのセッションの確立を要求するＩＮＶＩＴＥメッセージを送信する（Ｓ１０２０）。通信制御装置４０は、ＩＮＶＩＴＥメッセージを受信した場合、ＩＮＶＩＴＥメッセージで規定された処理の実行を施行中であることを示す１００Ｔｒｙｉｎｇメッセージを通信端末１０（ｂ）に送信する（Ｓ１０２５）。通信制御装置４０は、１００Ｔｒｙｉｎｇメッセージを通信端末１０（ｂ）に送信するとともに、通信端末１０（ａ）に通信端末１０（ｂ）から受信したＩＮＶＩＴＥメッセージを転送する（Ｓ１０３０）。
【００２４】
通信端末１０（ａ）は、受信したＩＮＶＩＴＥメッセージに応じて、当該ＩＮＶＩＴＥメッセージで規定される処理の実行を試行中であることを示す１００Ｔｒｙｉｎｇメッセージを通信制御装置４０に送信する（Ｓ１０３５）。通信制御装置４０は、通信端末１０（ａ）から受信した１００Ｔｒｙｉｎｇメッセージを通信端末１０（ｂ）に転送せずに、通信端末１０（ａ）から呼び出し中であることを示す１８０Ｒｉｎｇｉｎｇメッセージを受信するまで待機する。
【００２５】
ここで、図１１に示す様に、通常のＳＩＰによる呼制御において、通信制御装置４０は、通信端末１０（ａ）から１００Ｔｒｙｉｎｇメッセージを受信しない場合、予め定められた時間の倍数で規定される時間であるバックオフ時間が経過するごとに、通信端末１０（ｂ）から受信したＩＮＶＩＴＥメッセージを繰り返し再送する（Ｓ１５００からＳ１５２５）。そして、通信制御装置４０は、最初のＩＮＶＩＴＥメッセージの送信（Ｓ１０３０）から予め定められたタイムアウト時間（例えば、３２秒）が経過するまでに通信端末１０（ａ）から１００Ｔｒｙｉｎｇメッセージを受信しない場合、通信端末１０（ａ）と通信端末１０（ｂ）との間の通信セッションの確立ができないことを示すエラーメッセージ（例えば、４０８Ｒｅｑｕｅｓｔ  ｔｉｍｅｏｕｔ）を通信端末１０（ｂ）に送信する。
【００２６】
一方、通信制御装置４０は、タイムアウト時間が経過する前に通信端末１０（ａ）がＩＮＶＩＴＥメッセージを受信した場合、通信端末１０（ａ）は、１００Ｔｒｙｉｎｇメッセージを通信制御装置４０に送信する。通信端末１０（ａ）から１００Ｔｒｙｉｎｇメッセージを受信した場合、通信制御装置４０は、通信端末１０（ａ）から受信した１８０Ｒｉｎｇｉｎｇメッセージを、通信端末１０（ｂ）に転送する（Ｓ１０４５）。そして、通信端末１０（ａ）のユーザが応答した場合、通信端末１０（ａ）は２００ＯＫメッセージを通信制御装置４０に送信する（Ｓ１０５０）。
【００２７】
通信制御装置４０は、受信した２００ＯＫメッセージを通信端末１０（ｂ）に転送する。そして、通信端末１０（ｂ）は、２００ＯＫメッセージを受信したことを示す確認を示すＡＣＫメッセージを通信制御装置４０に送信して、音声通話が可能な状態に遷移する。通信制御装置４０は、通信端末１０（ａ）にＡＣＫメッセージを送信する。当該ＡＣＫメッセージを受信した通信端末１０（ａ）も、音声通話が可能な状態に遷移して、通信端末１０（ａ）と通信端末１０（ｂ）との間で通話が可能な状態となる（Ｓ１０７０）。
【００２８】
ここで、本発明の第１の実施形態に係る通信システム６０は、図１に示す様に、通信端末１０（ａ）と通信制御装置４０との間にルータ３０を介して、通信中継装置２０を備える。通信中継装置２０は、例えば、無線ＬＡＮシステムにおけるアクセスポイントである。通信中継装置２０は、発側端末である通信端末１０（ｂ）と着側端末である通信端末１０（ａ）との通信を中継する。そして、通信中継装置２０（ａ）は、通信端末１０（ｂ）が通信制御装置４０を介して通信端末１０（ａ）に送信したＩＮＶＩＴＥメッセージを受信した場合、通信端末１０（ａ）が通信中継装置２０を介して通信制御装置４０に送信すべき１００Ｔｒｙｉｎｇメッセージを通信端末１０（ａ）から受信する前に、通信制御装置４０に１００Ｔｒｙｉｎｇメッセージを送信する。
【００２９】
これにより、通信制御装置４０は、通信端末１０（ａ）において、通信端末１０（ｂ）が送信したＩＮＶＩＴＥメッセージで規定される処理が試行されていると判断するので、通信制御装置４０は、図１１に示した通常のＳＩＰによる呼制御における処理で発生するＩＮＶＩＴＥメッセージの繰り返し再送処理の実行をすることがなくなる。従って、通信制御装置４０と通信端末１０との間の通信トラフィックを大幅に低減させることができ、通信システム６０の全体における通信の信頼性向上に資することとなる。
【００３０】
また、通信端末１０（ａ）が、通信中継装置２０からのビーコンを受信することができる間隔を長くした場合、通信端末１０（ａ）の、通信端末１０（ｂ）が送信したＩＮＶＩＴＥメッセージを受信することができるタイミングも長くなる。係る場合には、通信制御装置４０において通常のＳＩＰによる呼制御を実行すると、ＩＮＶＩＴＥメッセージを繰り返し再送しなければならない場合があり、係る場合には通信トラフィックが増大する。しかしながら、本発明の第１の実施形態においては、上述した様に、通信中継装置２０（ａ）が、通信端末１０（ａ）が通信制御装置４０に送信すべき１００Ｔｒｙｉｎｇメッセージを通信端末１０（ａ）から受信する前に、通信制御装置４０に送信するので、通信トラフィックを低減させることができる。
【００３１】
次に、本発明の第２の実施形態に係る通信システム６０では、通信制御装置４０は、通信端末１０（ａ）に予め設定された待機期間の長さを示す待機期間情報を格納する。ここで、着側端末である通信端末１０は、データを受信しない待機モードと、データを受信する通信モードとを有する。そして、着側端末である通信端末１０は、待機モードに遷移した後、着側端末に予め設定された待機期間が経過すると通信モードに遷移する。すなわち、待機期間は、通信端末１０（ａ）が待機モードの状態である期間を示す。
【００３２】
そして、通信端末１０（ａ）は、通信モードの場合に通信制御装置４０から通信端末１０（ｂ）が送信したＩＮＶＩＴＥメッセージを受信できるが、待機モードの場合には当該ＩＮＶＩＴＥメッセージを受信できない。従って、通信端末１０（ａ）は、待機モード中は通信制御装置４０へ１００Ｔｒｙｉｎｇメッセージを送信できない。係る場合において、通信制御装置４０が通信端末１０（ａ）の待機モードが継続する時間である待機期間を把握していない場合、通信制御装置４０は、待機期間が経過する前にＩＮＶＩＴＥメッセージを繰り返し再送し続ける場合がある。
【００３３】
しかしながら、本発明の第２の実施形態においては、通信制御装置４０は、予め通信端末１０（ａ）の待機期間を示す待機期間情報を格納することにより、通信端末１０（ａ）の待機期間を把握できるので、通信端末１０（ｂ）から受信したＩＮＶＩＴＥメッセージを通信端末１０（ａ）に送信した後、待機期間が経過するまでに通信端末１０（ａ）から１００Ｔｒｙｉｎｇメッセージを受信しない場合でも、待機期間が経過するまではＩＮＶＩＴＥメッセージを繰り返し再送しない。従って、通信制御装置４０と通信端末１０との間の通信トラフィックを大幅に低減させることができる。
【００３４】
また、本発明の第２の実施形態においては、予め通信端末１０の待機期間を格納することにより、通信制御装置４０は、通信端末１０が待機モードである待機期間を把握することができる。従って、通信端末１０において待機期間を長く設定することにより通信端末１０の省電力化を図った場合であっても、通信制御装置４０と通信端末１０との間の通信トラフィックが増大することがなくなる。
【００３５】
図２は、本実施形態に係る通信中継装置２０の機能構成の一例を示す。通信中継装置２０は、通信端末１０と通信制御装置４０および／または他の通信端末１０との間の通信を中継する装置であって、例えば、無線ＬＡＮにおけるアクセスポイントである。なお、請求項に記載の発側端末および着側端末は、通信端末１０の一例である。また、本実施形態に係る通信は、例えばパケット通信であってよい。通信中継装置２０は、中継側データ送受信部２００、送信要求受信部２０５、中継側接続要求送信部２１０、中継側接続要求受信部２１５、接続要求記憶部２２０、中継側確認応答送信部２２５、中継側確認応答受信部２３０、通知情報送信部２３５、中継側受信応答受信部２４０、および中継側受信応答送信部２４５を備える。
【００３６】
中継側データ送受信部２００は、中継側接続要求送信部２１０、中継側確認応答送信部２２５、通知情報送信部２３５、および中継側受信応答送信部２４５が送信するデータを、通信端末１０または通信制御装置４０に送信する。また、中継側データ送受信部２００は、通信端末１０または通信制御装置４０から受信したデータを、送信要求受信部２０５、中継側接続要求受信部２１５、中継側確認応答受信部２３０、および中継側受信応答受信部２４０に供給する。
【００３７】
中継側接続要求受信部２１５は、発側の通信端末１０（発側端末）と着側の通信端末１０（着側端末）とのセッションを確立させる通信制御装置４０を介して、発側端末と着側端末とのセッションの確立を要求する接続要求（例えば、ＩＮＶＩＴＥメッセージ）を、発側端末から受信する。中継側接続要求受信部２１５は、受信した接続要求を接続要求記憶部２２０に供給する。また、中継側接続要求受信部２１５は、接続要求を受信したことを示す信号を中継側確認応答送信部２２５および通知情報送信部２３５に供給する。なお、中継側接続要求受信部２１５は、請求項１から４、並びに請求項６および７に記載の接続要求受信部の一例である。
【００３８】
通知情報送信部２３５は、通信中継装置２０と通信端末１０との間における通信に要する情報を含む報知情報（例えば、Ｂｅａｃｏｎ）を予め定められた間隔で送信する。そして、通知情報送信部２３５は、中継側接続要求受信部２１５から接続要求を受信したことを示す信号を受け取った場合に、着側端末に対する接続要求を受信したことを着側端末に通知する通知情報を着側端末に送信する。具体的には、通知情報送信部２３５は、報知情報に通知情報を付加した報知情報（例えば、Ｂｅａｃｏｎ（＋ＴＩＭ））を送信する。
【００３９】
接続要求記憶部２２０は、接続要求を記憶する。具体的には、接続要求記憶部２２０は、中継側接続要求受信部２１５が受信した接続要求を記憶する。接続要求記憶部２２０は、中継側接続要求送信部２１０に制御されて、記憶している接続要求を中継側接続要求送信部２１０に供給する。送信要求受信部２０５は、通知情報を受信した着側端末が送信した、当該着側端末宛の接続要求の送信を要求する送信要求（例えば、省電力中の着側端末からの当該通信中継装置へのデータ送信の指示を示すＰＳ  Ｐｏｌｌメッセージ）を着側端末から受信する。送信要求受信部２０５は、送信要求を受信したことを示す信号を中継側接続要求送信部２１０に供給する。中継側接続要求送信部２１０は、送信要求受信部２０５から送信要求を受信したことを示す信号を受け取った場合に、発側端末が送信した接続要求を着側端末に送信する。具体的には、中継側接続要求送信部２１０は、接続要求記憶部２２０に働きかけて、接続要求記憶部２２０が記憶している接続要求を着側端末に送信する。
【００４０】
中継側確認応答受信部２３０は、着側端末が通知情報を受信した後に送信した送信要求に応じて、中継側接続要求送信部２１０が送信した接続要求を受信したことを示す確認応答（例えば、１００Ｔｒｙｉｎｇメッセージ）を、着側端末から受信する。中継側確認応答受信部２３０は、確認応答を受信したことを示す信号を中継側確認応答送信部２２５に供給する。なお、中継側確認応答受信部２３０は、請求項１、請求項６、および請求項７に記載の確認応答受信部の一例である。
【００４１】
中継側確認応答送信部２２５は、中継側接続要求受信部２１５から接続要求を受信したことを示す信号を受け取った後、中継側確認応答受信部２３０から確認応答を受信したことを示す信号を受け取る前に、確認応答を通信制御装置４０に送信する。また、中継側確認応答送信部２２５は、中継側確認応答受信部２３０が確認応答を着側端末から受信する前に、確認応答を通信制御装置４０に送信した場合、中継側確認応答受信部２３０が確認応答を着側端末から受信した後に、確認応答を通信制御装置４０に送信しない。
【００４２】
また、通信制御装置４０は、発側端末から着側端末への接続要求に対して、当該通信中継装置２０から確認応答を受信しない場合、予め定められた時間間隔で接続要求を当該通信中継装置２０に繰り返し送信する。係る場合において、中継側確認応答送信部２２５は、中継側接続要求受信部２１５が接続要求を受信してから、予め定められた時間間隔の期間が経過するまでに、確認応答を通信制御装置４０に送信する。なお、中継側確認応答送信部２２５は、通信制御装置４０から予め定められた時間間隔を取得して、予め記憶するメモリを含んでいてよい。そして、中継側接続要求受信部２１５は、当該メモリに記憶されている時間間隔を読み出して、当該時間間隔の期間が経過する前に、確認応答を通信制御装置４０に送信してもよい。
【００４３】
更に、通信制御装置４０は、接続要求に対して、当該通信中継装置２０から確認応答を受信しない場合、接続要求を通信中継装置２０に繰り返し送信する。係る場合において、中継側確認応答送信部２２５は、中継側確認応答受信部２３０が確認応答を着側端末から受信する前に、確認応答を通信制御装置４０に送信することによって、通信制御装置４０が接続要求を繰り返し送信させない。例えば、中継側確認応答受信部２３０は、確認応答を通信制御装置４０に送信することによって、通信制御装置４０が接続要求を送信することを抑制して、通信トラフィックを低減させる。なお、中継側確認応答送信部２２５は、請求項１から請求項４、並びに請求項６、および請求項７に記載の確認応答送信部の一例である。
【００４４】
中継側受信応答受信部２４０は、着側端末から呼び出し中であることを示す受信応答（例えば、１８０Ｒｉｎｇｉｎｇメッセージ）を受信する。中継側受信応答受信部２４０は、受信した受信応答を中継側受信応答送信部２４５に供給する。中継側受信応答送信部２４５は、着側端末が送信した受信応答を通信制御装置４０に送信する。
【００４５】
本実施形態に係る通信中継装置２０によれば、着側端末から確認応答を受信する前に、通信制御装置４０に確認応答を送信することができる。これにより、通信制御装置４０が着側端末からの確認応答を受信しないことに起因する、接続要求を繰り返し再送することを防止できるので、通信制御装置４０と通信中継装置２０との間の通信トラフィックを大幅に低減できる。
【００４６】
図３は、本実施形態に係る通信制御装置４０の機能構成の一例を示す。通信制御装置４０は、発側端末と着側端末とのセッションを確立させる通信制御装置４０であって、例えば、ＳＩＰサーバである。通信制御装置４０は、制御側データ送受信部４００、制御側接続要求受信部４０５、制御側接続要求送信部４１０、接続要求送信制御部４１５、待機期間情報格納部４２０、待機期間情報受信部４２５、位置登録情報受信部４３０、位置登録部４３５、制御側確認応答受信部４４０、制御側確認応答送信部４４５、制御側受信応答受信部４５０、および制御側受信応答送信部４５５を備える。
【００４７】
制御側データ送受信部４００は、制御側データ送受信部４００、制御側接続要求送信部４１０、制御側確認応答送信部４４５、および制御側受信応答送信部４５５が送信するデータを、通信端末１０または通信中継装置２０に送信する。また、制御側データ送受信部４００は、通信端末１０または通信中継装置２０から受信したデータを、制御側データ送受信部４００、制御側接続要求受信部４０５、待機期間情報受信部４２５、位置登録情報受信部４３０、制御側確認応答受信部４４０、および制御側受信応答受信部４５０に供給する。
【００４８】
位置登録情報受信部４３０は、着側端末または発側端末が、通信制御装置４０に位置登録すべく送信する位置登録情報（例えば、Ｒｅｇｉｓｔｅｒメッセージ）を受信する。位置登録情報受信部４３０は、受信した位置登録情報を位置登録部４３５に供給する。また、着側端末または発側端末は、着側端末に予め設定された待機期間の長さを示す待機期間情報が付帯された位置登録情報を更に送信してもよい。係る場合には、位置登録情報受信部４３０は、着側端末または発側端末が位置登録情報に付加して送信した待機期間情報を待機期間情報受信部４２５に供給する。
【００４９】
待機期間情報受信部４２５は、着側端末または発側端末から送信された待機期間情報を受信する。待機期間情報受信部４２５は、待機期間情報が付帯された位置登録情報を受信してもよい。また、待機期間情報受信部４２５は、位置登録情報受信部４３０が受信した位置登録情報に付加されていた待機期間情報を位置登録情報受信部４３０から受け取ってもよい。また、待機期間情報受信部４２５は、着側端末または発側端末が位置登録情報の送信とは別に送信した待機期間情報を受信してもよい。待機期間情報受信部４２５は、待機期間情報を待機期間情報格納部４２０に供給する。
【００５０】
待機期間情報格納部４２０は、着側端末または発側端末に予め設定された待機期間の長さを示す待機期間情報を格納する。待機期間情報格納部４２０は、待機期間情報受信部４２５から受け取った待機期間情報を格納する。また、待機期間情報格納部４２０は、待機期間情報受信部４２５が受信した位置登録情報に付帯された待機期間情報を格納してもよい。待機期間情報格納部４２０は、接続要求送信制御部４１５に制御され、接続要求送信制御部４１５に待機期間情報を供給する。
【００５１】
位置登録部４３５は、着側端末または発側端末が存在する位置を登録することを要求する位置登録情報を位置登録情報受信部４３０から受け取る。そして、位置登録部４３５は、位置登録情報を受け取ったことを示す成功応答（例えば、２００ＯＫメッセージ）を着側端末または発側端末に送信する。そして、位置登録部４３５は、例えば、着側端末または発側端末を識別する端末識別情報の登録／更新／削除等を制御するロケーションサーバへ当該着側端末または当該発側端末を登録する。なお、通信制御装置４０が位置登録部４３５を備えるのではなく、通信制御装置４０の外部に位置登録部４３５を有していてもよい。
【００５２】
制御側接続要求受信部４０５は、発側端末と着側端末とのセッションの確立を要求する接続要求を、発側端末から受信する。制御側接続要求受信部４０５は、受信した接続要求を制御側接続要求送信部４１０に供給する。また、制御側接続要求受信部４０５は、接続要求を受信したことを示す信号を、制御側確認応答送信部４４５に供給する。なお、制御側接続要求受信部４０５は、請求項８、請求項１２、および請求項１３に記載の接続要求受信部の一例である。制御側接続要求送信部４１０は、接続要求を着側端末に対して送信する。制御側接続要求送信部４１０は、制御側接続要求受信部４０５から受け取った接続要求を、接続要求送信制御部４１５に制御され、着側端末に対して送信する。なお、制御側接続要求送信部４１０は、請求項８、請求項１２、および請求項１３に記載の接続要求送信部の一例である。
【００５３】
接続要求送信制御部４１５は、制御側接続要求受信部４０５が接続要求を受信した場合に、制御側接続要求送信部４１０に接続要求を着側端末に対して送信さる。そして、接続要求送信制御部４１５は、制御側接続要求送信部４１０が接続要求を着側端末に送信したときから、待機期間情報格納部４２０が格納している待機期間情報が示す長さの待機期間が経過した場合に、制御側接続要求送信部４１０に接続要求を着側端末に対して再度送信させる。
【００５４】
制御側確認応答受信部４４０は、着側端末が送信した確認応答を受信する。制御側確認応答受信部４４０は、着側端末から確認応答を受信したことを示す信号を制御側確認応答送信部４４５に供給する。制御側確認応答送信部４４５は、確認応答を発側端末に送信する。具体的には、制御側確認応答送信部４４５は、制御側接続要求受信部４０５が発側端末から接続要求を受信したことを示す信号を受け取った場合に、発側端末に対して確認応答を送信する。制御側受信応答受信部４５０は、着側端末から、呼び出し中であることを示す受信応答を受信する。制御側受信応答受信部４５０は、着側端末から受信した受信応答を制御側受信応答送信部４５５に供給する。制御側受信応答送信部４５５は、制御側受信応答受信部４５０から受け取った受信応答を、発側端末に転送する。
【００５５】
なお、発側端末は、制御側確認応答送信部４４５から確認応答を受信した場合に、着側端末とのセッション確立の実行中であることを示す代理応答音を出力する。そして、発側端末は、制御側受信応答送信部４５５から受信応答を受信した場合、出力していた代理応答音を停止して、着側端末のセッションへの参加を呼びかけ中であることを示す呼び出し音を出力する。
【００５６】
本実施形態に係る通信制御装置４０によれば、着側の通信端末１０（着側端末）の待機期間情報を予め格納しておくことができる。これにより通信制御装置４０は、待機期間情報が示す待機期間が経過するまでは、発側の通信端末１０（発側端末）から受信した接続要求を着側端末に繰り返し送信しないので、着側端末と通信制御装置４０との間の通信トラフィックを低減させることができる。
【００５７】
また、本実施形態に係る通信制御装置４０は、予め通信端末１０の待機期間情報を格納しておくことができるので、例えば、着側端末の電力消費を抑制すべく、待機期間を長く設定した場合であっても、当該待機期間中に通信制御装置４０が接続要求を繰り返し着側端末に送信することがなくなる。従って、着側端末において電力消費を大幅に抑制した場合であっても、通信トラフィックの増大を抑制できる。
【００５８】
図４は、本実施形態に係る通信端末１０の機能構成の一例を示す。通信端末１０は、例えば、無線ＬＡＮ機能を有する携帯電話端末である。なお、請求項に記載の発側端末および着側端末は、通信端末１０の一例である。通信端末１０は、端末側データ送受信部１００、モード制御部１０２、端末側接続要求送信部１０５、要求入力部１０７、端末側確認応答受信部１１０、出力制御部１１５、出力部１２０、端末側受信応答受信部１２５、位置登録情報送信部１３０、待機期間情報記憶部１３５、通知情報受信部１４０、送信要求送信部１４５、端末側接続要求受信部１５０、端末側確認応答送信部１５５、端末側受信応答送信部１６０、音声入力部１６５、音声データ送受信部１７０、および音声データ変換部１７５を備える。
【００５９】
端末側データ送受信部１００は、端末側データ送受信部１００、端末側接続要求送信部１０５、位置登録情報送信部１３０、送信要求送信部１４５、端末側確認応答送信部１５５、端末側受信応答送信部１６０、および音声データ送受信部１７０が送信するデータを、通信中継装置２０または通信制御装置４０に送信する。また、端末側データ送受信部１００は、通信中継装置２０または通信制御装置４０から受信したデータを、端末側データ送受信部１００、端末側確認応答受信部１１０、端末側受信応答受信部１２５、通知情報受信部１４０、端末側接続要求受信部１５０、および音声データ送受信部１７０に供給する。
【００６０】
待機期間情報記憶部１３５は、当該通信端末１０に予め設定された待機モードの待機期間の長さを示す待機期間情報を記憶する。待機期間情報が示す待機期間は、当該通信端末１０の製造時に設定されてよく、また、当該通信端末１０のユーザが事後的に設定してもよい。待機期間情報記憶部１３５は、記憶している待機期間情報を位置登録情報送信部１３０およびモード制御部１０２に供給する。位置登録情報送信部１３０は、当該通信端末１０を通信制御装置４０に登録すべく、位置登録情報を送信する。位置登録情報送信部１３０は、待機期間情報記憶部１３５が記憶している待機期間情報が付帯された位置登録情報を送信する。
【００６１】
要求入力部１０７は、当該通信端末１０のユーザに、発側の通信端末１０とのセッションを確立する要求である接続要求を入力させる。要求入力部１０７は、ユーザが入力した接続要求を端末側接続要求送信部１０５に供給する。端末側接続要求送信部１０５は、要求入力部１０７から受け取った接続要求を、通信制御装置４０に送信する。通知情報受信部１４０は、通信中継装置２０が予め定められた周期で送信する報知情報を受信する。また、通知情報受信部１４０は、着側の通信端末１０である当該通信端末１０に対する接続要求を通信中継装置２０または通信制御装置４０が受信したことを示す通知情報を通信中継装置２０から受信した場合、通知情報を受信したことを示す信号をモード制御部１０２および送信要求送信部１４５に供給する。
【００６２】
送信要求送信部１４５は、通知情報受信部１４０から通知情報を受信したことを示す信号を受信した場合、通信中継装置２０または通信制御装置４０に対して、接続要求の送信を要求する送信要求を送信する。端末側接続要求受信部１５０は、送信要求送信部１４５が送信した送信要求に応じて、通信中継装置２０または通信制御装置４０が送信した接続要求を受信する。端末側接続要求受信部１５０は、接続要求を受信したことを示す信号を、端末側確認応答送信部１５５および端末側受信応答送信部１６０に供給する。
【００６３】
端末側確認応答受信部１１０は、端末側接続要求送信部１０５が送信した接続要求に応じて、通信制御装置４０が送信した確認応答を受信する。端末側確認応答受信部１１０は、確認応答を受信したことを示す信号を出力制御部１１５に供給する。端末側受信応答受信部１２５は、着側の通信端末１０が送信した受信応答を、通信中継装置２０および通信制御装置４０を介して受信する。端末側受信応答受信部１２５は、受信応答を受信したことを示す信号を出力制御部１１５に供給する。
【００６４】
出力部１２０は、音声データ、画像データ、およびテキストデータ等、当該通信端末１０のユーザが知覚可能なデータを出力する。具体的には、出力部１２０は、音声および／または音を出力する音出力部、静止画または動画を示す画像データおよび／またはテキストデータを出力する表示部、および当該通信端末１０を振動させることによりデータを受信したことを示す振動部を有していてよい。例えば、音出力部は、音声データ変換部１７５から受け取った音声データを出力する。そして、振動部は、音声データ変換部１７５から受け取った音声データを音出力部から出力できない場合（例えば、ユーザが音出力部を消音モードにしている場合等）に、当該音声データに応じた振動パターンで、当該通信端末１０を振動させる。
【００６５】
出力制御部１１５は、出力部１２０を制御して、音声データ、画像データ、およびテキストデータ等、当該通信端末１０のユーザが知覚可能なデータを出力させる。具体的には、出力制御部１１５は、端末側確認応答受信部１１０から確認応答を受信したことを示す信号を受け取った場合、出力部１２０に、着側の通信端末１０とのセッション確立の実行中であることを示す代理応答情報を出力させる。代理応答情報は、例えば、予め設定された音声データである代理応答音、予め設定されたテキストデータである代理応答テキスト、および／または、予め設定された画像データである代理応答画像である。
【００６６】
そして、出力制御部１１５は、端末側受信応答受信部１２５から受信応答を受信したことを示す信号を受け取った場合、出力部１２０からの代理応答情報の出力を停止させる。続いて、出力制御部１１５は、着側の通信端末１０のユーザを呼び出し中である呼び出し情報を出力部１２０から出力させる。呼び出し情報は、例えば、予め設定された音声データである呼び出し音、予め設定されたテキストデータである呼び出しテキスト、および／または、予め設定された画像データである呼び出し画像である。なお、代理応答音および呼び出し音はそれぞれ、予め設定された音楽データであってもよい。また、代理応答情報と呼び出し情報とは、通信端末１０のユーザが認識できる程度に異なる種類の情報であってよい。
【００６７】
例えば、代理応答情報が代理応答音であり、呼び出し情報が呼び出し音である場合、代理応答音と呼び出し音とは異なる音声データであってよい。そして、出力制御部１１５は、端末側確認応答受信部１１０から確認応答を受信したことを示す信号を受け取った場合、出力部１２０に代理応答音を出力させ、その後、端末側受信応答受信部１２５から受信応答を受信したことを示す信号を受け取った場合、出力部１２０から代理応答音の出力を停止させるとともに、代理応答音とは異なる音声データである呼び出し音を出力させる。
【００６８】
また、代理応答情報が代理応答テキストであり、呼び出し情報が呼び出しテキストである場合、代理応答テキストと呼び出しテキストとは異なるテキストデータであってよい。そして、出力制御部１１５は、端末側確認応答受信部１１０から確認応答を受信したことを示す信号を受け取った場合、出力部１２０に代理応答テキストを出力させ、その後、端末側受信応答受信部１２５から受信応答を受信したことを示す信号を受け取った場合、出力部１２０から代理応答テキストの出力を停止させるとともに、代理応答テキストとは異なるテキストデータである呼び出しテキストを出力させる。
【００６９】
また、代理応答情報が代理応答画像であり、呼び出し情報が呼び出し画像である場合、代理応答画像と呼び出し画像とは異なる画像データであってよい。そして、出力制御部１１５は、端末側確認応答受信部１１０から確認応答を受信したことを示す信号を受け取った場合、出力部１２０に代理応答画像を出力させ、その後、端末側受信応答受信部１２５から受信応答を受信したことを示す信号を受け取った場合、出力部１２０から代理応答画像の出力を停止させるとともに、代理応答画像とは異なる画像データである呼び出し画像を出力させる。
【００７０】
また、通信端末１０は、信号生成部および信号格納部を更に備えていてよい。信号生成部は、代理応答情報および／または呼び出し情報を生成する。そして、信号格納部は、信号生成部が生成した代理応答情報および／または呼び出し情報を格納する。出力制御部１１５は、端末側確認応答受信部１１０から確認応答を受信したことを示す信号を受け取った場合に、出力部１２０から信号格納部が格納している代理応答情報を出力させてよい。また、出力制御部１１５は、端末側受信応答受信部１２５から受信応答を受信したことを示す信号を受け取った場合に、出力部１２０から信号格納部が格納している呼び出し情報を出力させてもよい。これにより、通信端末１０のユーザが、代理応答情報および呼び出し情報を自由に生成することができる。
【００７１】
端末側確認応答送信部１５５は、端末側接続要求受信部１５０から接続要求を受信したことを示す信号を受け取った場合に、接続要求に応じた処理の実行を試行中であることを示す確認応答を、通信中継装置２０または通信制御装置４０に送信する。端末側受信応答送信部１６０は、端末側接続要求受信部１５０から接続要求を受信したことを示す信号を受け取った後、接続要求に応じた処理を実行して、当該通信端末１０のユーザを呼び出し中であることを示す受信応答を、通信中継装置２０または通信制御装置４０を介して発側の通信端末１０に送信する。
【００７２】
音声入力部１６５は、音声を入力する。音声入力部１６５は、入力した音声の音声データを音声データ変換部１７５に供給する。音声データ送受信部１７０は、他の通信端末１０から複数の音声パケットを受信する。また、音声データ送受信部１７０は、音声データ変換部１７５から受け取った複数の音声パケットを他の通信端末１０に送信する。音声データ変換部１７５は、音声入力部１６５から受け取った音声データを、複数の音声パケットに変換する。音声データ変換部１７５は、音声データから変換した複数の音声パケットを音声データ送受信部１７０に供給する。また、音声データ変換部１７５は、音声データ送受信部１７０から受け取った複数の音声パケットを音声データに変換する。そして、音声データ変換部１７５は、変換した音声データを出力部１２０に供給する。
【００７３】
モード制御部１０２は、データを受信しない待機モードと、データを受信する通信モードとのいずれかに、端末側データ送受信部１００を制御することにより通信端末１０のモードを制御する。具体的には、モード制御部１０２は、待機期間情報記憶部１３５が記憶している待機期間情報が示す待機期間ごとに、通信端末１０のモードを通信モードと待機モードとのいずれかに制御する。例えば、モード制御部１０２は、通信端末１０が通信モードから待機モードに遷移したときから、待機期間情報記憶部１３５が記憶している待機期間情報が示す待機期間が経過するまで、通信端末１０を待機モードに制御する。
【００７４】
ここで、待機期間は任意に設定できる。従って、待機期間を通信中継装置２０の通知情報送信部２３５が報知情報を送信する予め定められた周期よりも長く設定することにより、通信端末１０における処理を減少させて、通信端末１０の省電力化を実現することができる。
【００７５】
また、モード制御部１０２は、通知情報受信部１４０から通知情報を受信したことを示す信号を受け取った場合に通信端末１０のモードを待機モードに制御していた場合には、待機期間が経過して通信端末１０が待機モードから通信モードに遷移した後、データの送受信が実行されたときから予め定められた期間、データの送受信が発生しない場合に、通信端末１０のモードを通信モードから待機モードに再び遷移させる。これにより、端末側データ送受信部１００がデータの送受信をするために、端末側データ送受信部１００に対して電力を供給する期間を短縮することができるので、通信端末１０の消費電力を抑制することができる。
【００７６】
本実施形態に係る通信端末１０によれば、通信制御装置４０から確認応答を受信したことを契機として、代理応答音を出力することができる。そして、通信端末１０は、通信制御装置４０から受信応答を受信したことを契機として、呼び出し音を出力することができる。これにより、着側の通信端末１０が省電力化のために待機モードを長く設定して、発側の通信端末１０と着側の通信端末１０とのセッション確立までの時間が長く係る場合であっても、通信端末１０のユーザに対する信頼性を向上させることができる。
【００７７】
図５は、本実施形態に係る通信端末１０と通信中継装置２０との間における処理の流れの一例を示す。具体的には、通信端末１０が通信中継装置２０に対して、アクティブスキャン方式により通信の接続をする場合における処理の流れの一例を示す。まず、通信端末１０は、当該通信端末１０の周辺に存在する無線セルの有無を問い合わせるプローブ要求（Ｐｒｏｂｅ  Ｒｅｑｕｅｓｔ）を、予め定められたチャンネルでブロードキャストを用いて通信中継装置２０に送信する（Ｓ１００）。通信中継装置２０は、プローブ要求を受信すると、プローブ応答（Ｐｒｏｂｅ  Ｒｅｓｐｏｎｓｅ）を通信端末１０に送信する（Ｓ１０５）。なお、プローブ応答には、通信中継装置２０が報知情報（例えば、ｂｅａｃｏｎ）を送出する間隔を示すビーコン周期等を示す情報が含まれている。
【００７８】
続いて、通信端末１０は、通信中継装置２０間で認証を実行することを要求する認証要求（Ａｕｔｈｅｎｔｉｃａｔｉｏｎ  Ｒｅｑｕｅｓｔ）を通信中継装置２０に送信する（Ｓ１１０）。通信中継装置２０は、認証要求を通信端末１０から受信すると、通信端末１０の認証を実行する。そして、通信中継装置２０は、通信端末１０の認証を実行した後、通信端末１０を認証したことを示す認証応答（Ａｕｔｈｅｎｔｉｃａｔｉｏｎ  Ｒｅｓｐｏｎｓｅ）を通信端末１０に送信する。
【００７９】
そして、通信端末１０は、当該通信端末１０が通信中継装置２０に対して通信の接続を要求するＡｓｓｏｃｉａｔｉｏｎ要求（Ａｓｓｏｃｉａｔｉｏｎ  Ｒｅｑｕｅｓｔ）を通信中継装置２０に送信する（Ｓ１２０）。なお、Ａｓｓｏｃｉａｔｉｏｎ要求には、当該通信端末１０が省電力状態に遷移したときから予め定められた期間の経過後に、当該通信端末１０宛のデータが通信中継装置２０に記憶されているか否かを、報知情報を参照することにより確認する間隔（Ｌｉｓｔｅｎ  Ｉｎｔｅｒｖａｌ）を設定する情報が含まれていてよい。通信中継装置２０は、Ａｓｓｏｃｉａｔｉｏｎ要求を受信すると、通信の接続を認めるか否かを示すＡｓｓｏｃｉａｔｉｏｎ応答（Ａｓｓｏｃｉａｔｉｏｎ  Ｒｅｓｐｏｎｓｅ）を通信端末１０に送信する（Ｓ１２５）。
【００８０】
図６は、本実施形態に係る通信端末１０における処理の流れの一例を示す。具体的には、通信端末１０において省電力機能を実行する場合における処理の流れの一例を示す。まず、通信端末１０は、省電力ビットを含むフレームを通信中継装置２０に送信する（Ｓ２００）。これにより、通信中継装置２０は、通信端末１０が省電力モードに遷移することを把握することができる。一方、通信中継装置２０の通知情報送信部２３５は、予め定められたビーコン周期で、ビーコンを送出する（Ｓ２０５）。
【００８１】
係る場合において、Ｌｉｓｔｅｎ  Ｉｎｔｅｒｖａｌ中は、モード制御部１０２が端末側データ送受信部１００を制御して、当該通信端末１０を省電力モードに遷移させる。すなわち、通信端末１０は、Ｌｉｓｔｅｎ  Ｉｎｔｅｒｖａｌ中はＳｌｅｅｐ状態となり、通信中継装置２０が送出したビーコンを端末側データ送受信部１００は受信しない（Ｓ２０２）。続いて、モード制御部１０２は、予め定められた待機期間が経過した後、端末側データ送受信部１００を制御して、通信端末１０を通信モードに遷移させて、通信端末１０をＡｃｔｉｖｅ状態にする（Ｓ２１２）。
【００８２】
モード制御部１０２が通信端末１０を通信モードに遷移させたときに、通知情報送信部２３５が送信した報知情報に通知情報が含まれていない場合には、モード制御部１０２は、予め定められた時間が経過した後に、通信端末１０を再び待機モードに遷移させ、通信端末１０はＳｌｅｅｐ状態となる（Ｓ２１４）。通信端末１０がＳｌｅｅｐ状態である場合に、当該通信端末１０宛のデータを通信中継装置２０が受信した場合、通信中継装置２０は当該データを記憶する（Ｓ２１５）。そして、通信中継装置２０の通知情報送信部２３５は、通信端末１０宛のデータがあることを示すビット、すなわち通知情報を報知情報に含めて、報知情報を送出する（Ｓ２２０）。
【００８３】
通信端末１０のモード制御部１０２は、待機期間の経過後、通信端末１０を待機モードから通信モードに遷移させて、Ｓｌｅｅｐ状態（Ｓ２１４）からＡｃｔｉｖｅ状態（Ｓ２１６）とする。そして、通知情報受信部１４０は、通知情報が含まれている報知情報を受信する。通知情報受信部１４０は、報知情報に通知情報が含まれていることを示す信号を送信要求送信部１４５に供給する。送信要求送信部１４５は、報知情報に通知情報が含まれていることを示す信号を受け取った場合に、通信中継装置２０が記憶している当該通信端末１０宛のデータの送信を要求する送信要求（例えば、ＰＳ  Ｐｏｌｌ）を、通信中継装置２０に対して送信する（Ｓ２３０）。通信中継装置２０は、通信端末１０から送信要求を受信すると、記憶していた当該通信端末１０宛のデータを、当該通信端末１０に送信する。
【００８４】
図７は、第１の実施形態に係る通信中継装置２０における処理の流れの一例を示す。具体的には、通信中継装置２０が代理応答を実行する場合における呼制御処理の流れの一例を示す。まず、通信端末１０（ｂ）の端末側接続要求送信部１０５は、通信端末１０（ａ）とのセッションの確立を要求する接続要求（Ｒｅｑｕｅｓｔ：ＩＮＶＩＴＥ  ｓｉｐ）を通信制御装置４０に送信する（Ｓ３００）。通信制御装置４０の制御側接続要求受信部４０５は、通信端末１０（ｂ）から接続要求を受信する。
【００８５】
続いて、制御側確認応答送信部４４５は、接続要求に規定された処理の実行を試行中であることを示す確認応答（Ｓｔａｔｕｓ：１００  Ｔｒｙｉｎｇ）を通信端末１０（ｂ）に送信する（Ｓ３０２）。通信端末１０（ｂ）の端末側確認応答受信部１１０は、確認応答を通信制御装置４０から受信して、確認応答を受信したことを示す信号を出力制御部１１５に供給する。そして、出力制御部１１５は、出力部１２０を制御して、通信端末１０（ｂ）のユーザに知覚可能な代理応答音を、出力部１２０に出力させる（Ｓ３５０）。一方、通信制御装置４０の制御側接続要求送信部４１０は、制御側接続要求受信部４０５が通信端末１０（ｂ）から受信した接続要求を、通信端末１０（ａ）が通信可能に接続している通信中継装置２０に転送する（Ｓ３０４）。
【００８６】
通信中継装置２０は、予め定められた周期で報知情報（Ｂｅａｃｏｎ）を送出する（Ｓ３０８）。通信中継装置２０の中継側接続要求受信部２１５は、通信制御装置４０から接続要求を受信した場合、接続要求を受信したことを示す信号を中継側確認応答送信部２２５に供給する。そして、中継側確認応答送信部２２５は、中継側確認応答受信部２３０が通信端末１０（ａ）から確認応答（１００Ｔｒｙｉｎｇ）を受信する前に、確認応答（Ｓｔａｔｕｓ：１００  Ｔｒｙｉｎｇ）を通信制御装置４０に送信する（Ｓ３０６）。
【００８７】
これにより、通信制御装置４０が、通信端末１０（ｂ）から受信した接続要求を通信中継装置２０に繰り返し再送することがなくなるので、通信中継装置２０と通信制御装置４０との間の通信トラフィックを低減することができる。
【００８８】
また、通知情報送信部２３５は、中継側接続要求受信部２１５から接続要求を受信したことを示す信号を受け取り、通信端末１０（ａ）に対する接続要求を受信していることを示す通知情報を付帯した報知情報（Ｂｅａｃｏｎ（＋ＴＩＭ））を送出する（Ｓ３１０）。通信端末１０（ａ）の通知情報受信部１４０は、省電力期間が経過したときに当該報知情報を受信する。そして、送信要求送信部１４５は、報知情報に付帯された通知情報に応じて、接続要求の送信を通信中継装置２０に要求する（ＰＳ  Ｐｏｌｌ、Ｓ３１２）。通信端末１０（ａ）から接続要求の送信を要求された通信中継装置２０は、中継側接続要求送信部２１０から接続要求（Ｄａｔａ（ＩＮＶＩＴＥ））を通信端末１０（ａ）に送信する（Ｓ３１４）。
【００８９】
通信端末１０（ａ）は、通信中継装置２０から接続要求を受信して、接続要求に応じて処理の試行中であることを示す確認応答（Ｓｔａｔｕｓ：１００  Ｔｒｙｉｎｇ）を、端末側確認応答送信部１５５から送信する（Ｓ３１６）。そして、端末側受信応答送信部１６０は、接続要求に通信端末１０（ａ）のユーザが応じた場合、呼び出し中であることを示す受信応答（Ｓｔａｔｕｓ：１８０  Ｒｉｎｇｉｎｇ）を、通信中継装置２０に送信する（Ｓ３１８）。なお、通信中継装置２０は、通信端末１０（ａ）から確認応答を受信した場合であっても、当該確認応答を通信制御装置４０に転送しない。
【００９０】
中継側受信応答送信部２４５は、通信端末１０（ａ）から中継側受信応答受信部２４０が受信した受信応答を、通信制御装置４０に転送する（Ｓ３２０）。通信制御装置４０の制御側受信応答送信部４５５は、受信した受信応答を通信端末１０（ｂ）に転送する（Ｓ３２２）。通信端末１０（ｂ）の端末側受信応答受信部１２５は、当該受信応答を受信した場合、受信応答を受信したことを示す信号を出力制御部１１５に供給する。そして、出力制御部１１５は、出力部１２０に出力させていた代理応答音を停止させ、通信端末１０（ａ）のユーザを呼び出し中であることを示す呼出音を出力部１２０から出力させる（Ｓ３６０）。一方、通信端末１０（ａ）は、通信中継装置２０から接続要求を受け取った後（Ｓ３１４）、受信応答を通信中継装置２０に送信するとともに（Ｓ３１６）、通信端末１０（ａ）のユーザが知覚可能な呼出音を出力する。
【００９１】
通信端末１０（ａ）は、通信端末１０（ａ）のユーザが呼び出しに応じた場合、２００ＯＫメッセージ（Ｓｔａｔｕｓ：２００  ＯＫ、ｗｉｔ）を通信端末１０（ｂ）に向けて送信する（Ｓ３２４、Ｓ３２６、Ｓ３２８）。通信端末１０（ｂ）は、２００ＯＫメッセージを受信した場合、２００ＯＫメッセージを受信したことを示す情報（Ｒｅｑｕｅｓｔ：ＡＣＫ  ｓｉｐ：１９）を通信端末１０（ａ）に向けて送信する（Ｓ３３０、Ｓ３３２、Ｓ３３４）。そして、２００ＯＫメッセージを受信したことを示す情報を受信した通信端末１０（ａ）と通信端末１０（ｂ）との間で通話をすることができる状態となる（Ｓ３７０）。
【００９２】
図８は、第２の実施形態に係る通信制御装置４０における処理の流れの一例を示す。具体的には、通信端末１０がＲｅｇｉｓｔｅｒメッセージに待機期間情報を付帯させて送信して、当該待機期間情報を通信制御装置４０が登録する処理の流れの一例を示す。まず、通信端末１０（ａ）の位置登録情報送信部１３０は、当該通信端末１０（ａ）に電源が投入された場合、または当該通信端末１０（ａ）の起動時等に、登録情報（Ｒｅｑｕｅｓｔ：ＲＥＧＩＳＴＥＲ）を通信制御装置４０に向けて送信する（Ｓ４００、Ｓ４０２）。係る場合において、位置登録情報送信部１３０は、待機期間情報記憶部１３５が記憶している待機期間情報を登録情報に付帯して送信する。
【００９３】
通信制御装置４０の位置登録情報受信部４３０は、通信端末１０（ａ）が送信して登録情報を受信する。係る場合において、位置登録情報受信部４３０は、登録情報に付帯された待機期間情報を待機期間情報受信部４２５に供給する。そして、待機期間情報受信部４２５は、待機期間情報を待機期間情報格納部４２０に格納する。続いて、通信制御装置４０の位置登録部４３５は、登録処理を実行する。位置登録部４３５は、登録処理が正常に完了した場合、２００ＯＫメッセージ（Ｓｔａｔｕｓ：２００  ＯＫ）を通信端末１０（ａ）に向けて送信する（Ｓ４０４、Ｓ４０６）。これにより、通信制御装置４０は、通信端末１０（ａ）の待機期間を予め把握することができる。なお、通信端末１０（ｂ）も、通信端末１０（ａ）と同様にして、通信制御装置４０に位置登録する（Ｓ４０８、Ｓ４１０）。
【００９４】
図９は、第２の実施形態に係る通信制御装置４０における処理の一例を示す。具体的には、通信制御装置４０において、待機期間情報が示す待機期間においては接続要求を繰り返し再送しない処理を事項する場合の一例を示す。まず、通信端末１０（ｂ）の端末側接続要求送信部１０５は、通信端末１０（ａ）とのセッションの確立を要求する接続要求（Ｒｅｑｕｅｓｔ：ＩＮＶＩＴＥ  ｓｉｐ）を通信制御装置４０に送信する（Ｓ４２０）。通信制御装置４０の制御側接続要求受信部４０５は、通信端末１０（ｂ）から接続要求を受信する。
【００９５】
続いて、制御側確認応答送信部４４５は、接続要求に規定された処理の実行を試行中であることを示す確認応答（Ｓｔａｔｕｓ：１００  Ｔｒｙｉｎｇ）を通信端末１０（ｂ）に送信する（Ｓ４２２）。通信端末１０（ｂ）の端末側確認応答受信部１１０は、確認応答を通信制御装置４０から受信して、確認応答を受信したことを示す信号を出力制御部１１５に供給する。そして、出力制御部１１５は、出力部１２０を制御して、通信端末１０（ｂ）のユーザに知覚可能な代理応答音を、出力部１２０に出力させる（Ｓ４６０）。一方、通信制御装置４０の制御側接続要求送信部４１０は、制御側接続要求受信部４０５が通信端末１０（ｂ）から受信した接続要求を、通信端末１０（ａ）が通信可能に接続している通信中継装置２０に転送する（Ｓ４２４）。
【００９６】
ここで、通信制御装置４０は、図８の上記説明の様に、予め通信端末１０（ａ）の待機期間情報を管理している。従って、通信制御装置４０の制御側接続要求送信部４１０は、通信端末１０（ａ）に接続要求を転送したときから、待機期間情報が示す待機期間が経過するまでは、通信端末１０（ａ）から確認応答（１００Ｔｒｙｉｎｇメッセージ）を受信しない場合であっても、接続要求を再送信しない。
【００９７】
これにより、通信制御装置４０と通信端末１０（ａ）との間の通信トラフィックを低減できる。また、通信端末１０（ｂ）において代理応答音を出力させるとともに、通信端末１０（ａ）に予め設定されている待機期間情報が示す待機期間に応じて、接続要求の再送信のタイミングを設定できるので、通信端末１０（ａ）の省電力化を図りつつ、通信の即時応答性を補完することができる。
【００９８】
通信中継装置２０は、予め定められた周期で報知情報（Ｂｅａｃｏｎ）を送出する（Ｓ４１２）。通知情報送信部２３５は、中継側接続要求受信部２１５から接続要求を受信したことを示す信号を受け取り、通信端末１０（ａ）に対する接続要求を受信していることを示す通知情報を付帯した報知情報（Ｂｅａｃｏｎ（＋ＴＩＭ））を送出する（Ｓ４２６）。通信端末１０（ａ）の通知情報受信部１４０は、省電力期間が経過したときに当該報知情報を受信する。そして、送信要求送信部１４５は、報知情報に付帯された通知情報に応じて、接続要求の送信を通信中継装置２０に要求する（ＰＳ  Ｐｏｌｌ、Ｓ４２８）。通信端末１０（ａ）から接続要求の送信を要求された通信中継装置２０は、中継側接続要求送信部２１０から接続要求（Ｒｅｑｕｅｓｔ：ＩＮＶＩＴＥ  ｓｉｐ）を通信端末１０（ａ）に送信する（Ｓ４３９）。
【００９９】
通信端末１０（ａ）は、通信中継装置２０から接続要求を受信して、接続要求に応じて処理の試行中であることを示す確認応答（Ｓｔａｔｕｓ：１００  Ｔｒｙｉｎｇ）を、端末側確認応答送信部１５５から通信端末１０（ｂ）に向けて送信する（Ｓ４３２、Ｓ４３６）。そして、端末側受信応答送信部１６０は、接続要求に通信端末１０（ａ）のユーザが応じた場合、呼び出し中であることを示す受信応答（Ｓｔａｔｕｓ：１８０  Ｒｉｎｇｉｎｇ）を、通信端末１０（ｂ）に向けて送信する（Ｓ４３４、Ｓ４３８、Ｓ４４０）。
【０１００】
通信端末１０（ｂ）の端末側受信応答受信部１２５は、当該受信応答を受信した場合、受信応答を受信したことを示す信号を出力制御部１１５に供給する。そして、出力制御部１１５は、出力部１２０に出力させていた代理応答音を停止させ、通信端末１０（ａ）のユーザを呼び出し中であることを示す呼出音を出力部１２０から出力させる（Ｓ４７０）。一方、通信端末１０（ａ）は、通信中継装置２０から接続要求を受け取った後（Ｓ４３０）、受信応答を通信中継装置２０に送信するとともに（Ｓ４３４）、通信端末１０（ａ）のユーザが知覚可能な呼出音を出力する。
【０１０１】
通信端末１０（ａ）は、通信端末１０（ａ）のユーザが呼び出しに応じた場合、２００ＯＫメッセージ（Ｓｔａｔｕｓ：２００  ＯＫ、ｗｉｔ）を通信端末１０（ｂ）に向けて送信する（Ｓ４４２、Ｓ４４４、Ｓ４４６）。通信端末１０（ｂ）は、２００ＯＫメッセージを受信した場合、２００ＯＫメッセージを受信したことを示す情報（Ｒｅｑｕｅｓｔ：ＡＣＫ  ｓｉｐ：１９）を通信端末１０（ａ）に向けて送信する（Ｓ４４８、Ｓ４５０、Ｓ４５２）。そして、２００ＯＫメッセージを受信したことを示す情報を受信した通信端末１０（ａ）と通信端末１０（ｂ）との間で通話をすることができる状態となる（Ｓ４８０）。
【０１０２】
図１２は、本実施形態に係る通信端末１０、通信中継装置２０、および通信制御装置４０のハードウェア構成の一例を示す。本実施形態に係る通信端末１０、通信中継装置２０、および通信制御装置４０は、ホスト・コントローラ１５８２により相互に接続されるＣＰＵ１５０５、ＲＡＭ１５２０、グラフィック・コントローラ１５７５、および表示装置１５８０を有するＣＰＵ周辺部と、入出力コントローラ１５８４によりホスト・コントローラ１５８２に接続される通信インターフェイス１５３０、ハードディスクドライブ１５４０、およびＣＤ−ＲＯＭドライブ１５６０を有する入出力部と、入出力コントローラ１５８４に接続されるＲＯＭ１５１０、フレキシブルディスク・ドライブ１５５０、および入出力チップ１５７０を有するレガシー入出力部とを備える。なお、ハードディスクドライブ１５４０、ＣＤ−ＲＯＭ１５６０、およびフレキシブルディスク・ドライブ１５５０の代わりに、例えば、半導体メモリ用のドライブを備えていてもよい。
【０１０３】
ホスト・コントローラ１５８２は、ＲＡＭ１５２０と、高い転送レートでＲＡＭ１５２０をアクセスするＣＰＵ１５０５およびグラフィック・コントローラ１５７５とを接続する。ＣＰＵ１５０５は、ＲＯＭ１５１０およびＲＡＭ１５２０に格納されたプログラムに基づいて動作して、各部を制御する。グラフィック・コントローラ１５７５は、ＣＰＵ１５０５等がＲＡＭ１５２０内に設けたフレーム・バッファ上に生成する画像データを取得して、表示装置１５８０上に表示させる。これに代えて、グラフィック・コントローラ１５７５は、ＣＰＵ１５０５等が生成する画像データを格納するフレーム・バッファを、内部に含んでもよい。
【０１０４】
入出力コントローラ１５８４は、ホスト・コントローラ１５８２と、比較的高速な入出力装置である通信インターフェイス１５３０、ハードディスクドライブ１５４０、ＣＤ−ＲＯＭドライブ１５６０を接続する。通信インターフェイス１５３０は、ネットワークを介して他の装置と通信する。ハードディスクドライブ１５４０は、通信端末１０、通信中継装置２０、および通信制御装置４０内のＣＰＵ１５０５が使用するプログラムおよびデータを格納する。ＣＤ−ＲＯＭドライブ１５６０は、ＣＤ−ＲＯＭ１５９５からプログラムまたはデータを読み取り、ＲＡＭ１５２０を介してハードディスクドライブ１５４０に提供する。
【０１０５】
また、入出力コントローラ１５８４には、ＲＯＭ１５１０と、フレキシブルディスク・ドライブ１５５０、および入出力チップ１５７０の比較的低速な入出力装置とが接続される。ＲＯＭ１５１０は、通信端末１０、通信中継装置２０、および通信制御装置４０が起動時に実行するブート・プログラム、通信端末１０、通信中継装置２０、および通信制御装置４０のハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０に提供する。入出力チップ１５７０は、フレキシブルディスク・ドライブ１５５０、例えばパラレル・ポート、シリアル・ポート、キーボード・ポート、マウス・ポート等を介して各種の入出力装置を接続する。
【０１０６】
ＲＡＭ１５２０を介してハードディスクドライブ１５４０に提供される通信プログラムは、フレキシブルディスク１５９０、ＣＤ−ＲＯＭ１５９５、またはＩＣカード等の記録媒体に格納されて利用者によって提供される。通信プログラムは、記録媒体から読み出され、ＲＡＭ１５２０を介して通信端末１０、通信中継装置２０、および通信制御装置４０内のハードディスクドライブ１５４０にインストールされ、ＣＰＵ１５０５において実行される。
【０１０７】
通信中継装置２０にインストールされて実行される通信プログラムは、ＣＰＵ１５０５等に働きかけて、通信中継装置２０を、図１から図１１にかけて説明した中継側データ送受信部２００、送信要求受信部２０５、中継側接続要求送信部２１０、中継側接続要求受信部２１５、接続要求記憶部２２０、中継側確認応答送信部２２５、中継側確認応答受信部２３０、通知情報送信部２３５、中継側受信応答受信部２４０、および中継側受信応答送信部２４５として機能させる。
【０１０８】
また、通信制御装置４０にインストールされて実行される通信プログラムは、ＣＰＵ１５０５等に働きかけて、通信制御装置４０を、図１から図１１にかけて説明した制御側データ送受信部４００、制御側接続要求受信部４０５、制御側接続要求送信部４１０、接続要求送信制御部４１５、待機期間情報格納部４２０、待機期間情報受信部４２５、位置登録情報受信部４３０、位置登録部４３５、制御側確認応答受信部４４０、制御側確認応答送信部４４５、制御側受信応答受信部４５０、および制御側受信応答送信部４５５として機能させる。
【０１０９】
更に、通信端末１０にインストールされて実行される通信プログラムは、ＣＰＵ１５０５等に働きかけて、通信端末１０を、図１から図１１にかけて説明した端末側データ送受信部１００、モード制御部１０２、端末側接続要求送信部１０５、要求入力部１０７、端末側確認応答受信部１１０、出力制御部１１５、出力部１２０、端末側受信応答受信部１２５、位置登録情報送信部１３０、待機期間情報記憶部１３５、通知情報受信部１４０、送信要求送信部１４５、端末側接続要求受信部１５０、端末側確認応答送信部１５５、端末側受信応答送信部１６０、音声入力部１６５、音声データ送受信部１７０、および音声データ変換部１７５として機能させる。
【０１１０】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【図面の簡単な説明】
【０１１１】
【図１】通信システム６０の概念図である。
【図２】通信中継装置２０の機能構成を示すブロック図である。
【図３】通信制御装置４０の機能構成を示すブロック図である。
【図４】通信端末１０の機能構成を示すブロック図である。
【図５】通信端末１０と通信中継装置２０との間の処理を示すシーケンス図である。
【図６】通信端末１０における処理の流れを示すシーケンス図である。
【図７】通信中継装置２０における処理の流れを示すシーケンス図である。
【図８】通信制御装置４０における処理の流れを示すシーケンス図である。
【図９】通信制御装置４０における処理の流れを示すシーケンス図である。
【図１０】ＳＩＰによる呼制御を示すシーケンス図である。
【図１１】ＳＩＰによる呼制御を示すシーケンス図である。
【図１２】通信端末１０、通信中継装置２０、および通信制御装置４０のハードウェア構成を示すブロック図である。
【符号の説明】
【０１１２】
１０  通信端末
２０  通信中継装置
３０  ルータ
４０  通信制御装置
５０  ＭＧＷ
６０  通信システム
７０、７２  クライアント側ネットワーク
７４  ＩＰネットワーク
７６  サーバ側ネットワーク
７８  音声公衆網
１００  端末側データ送受信部
１０２  モード制御部
１０５  端末側接続要求送信部
１０７  要求入力部
１１０  端末側確認応答受信部
１１５  出力制御部
１２０  出力部
１２５  端末側受信応答受信部
１３０  位置登録情報送信部
１３５  待機期間情報記憶部
１４０  通知情報受信部
１４５  送信要求送信部
１５０  端末側接続要求受信部
１５５  端末側確認応答送信部
１６０  端末側受信応答送信部
１６５  音声入力部
１７０  音声データ送受信部
１７５  音声データ変換部
２００  中継側データ送受信部
２０５  送信要求受信部
２１０  中継側接続要求送信部
２１５  中継側接続要求受信部
２２０  接続要求記憶部
２２５  中継側確認応答送信部
２３０  中継側確認応答受信部
２３５  通知情報送信部
２４０  中継側受信応答受信部
２４５  中継側受信応答送信部
４００  制御側データ送受信部
４０５  制御側接続要求受信部
４１０  制御側接続要求送信部
４１５  接続要求送信制御部
４２０  待機期間情報格納部
４２５  待機期間情報受信部
４３０  位置登録情報受信部
４３５  位置登録部
４４０  制御側確認応答受信部
４４５  制御側確認応答送信部
４５０  制御側受信応答受信部
４５５  制御側受信応答送信部
１５０５  ＣＰＵ
１５１０  ＲＯＭ
１５２０  ＲＡＭ
１５３０  通信インターフェイス
１５４０  ハードディスクドライブ
１５５０  フレキシブルディスク・ドライブ
１５６０  ＣＤ−ＲＯＭドライブ
１５７０  入出力チップ
１５７５  グラフィック・コントローラ
１５８０  表示装置
１５８２  ホスト・コントローラ
１５８４  入出力コントローラ
１５９０  フレキシブルディスク
１５９５  ＣＤ−ＲＯＭ
【図１】
2008136140.tif 000003
【図２】
2008136140.tif 000004
【図３】
2008136140.tif 000005
【図４】
2008136140.tif 000006
【図５】
2008136140.tif 000007
【図６】
2008136140.tif 000008
【図７】
2008136140.tif 000009
【図８】
2008136140.tif 000010
【図９】
2008136140.tif 000011
【図１０】
2008136140.tif 000012
【図１１】
2008136140.tif 000013
【図１２】
2008136140.tif 000014